(57)【要約】【課題】石突きに装着しておけば、傘の自立が可能な傘の石突き装着具、それを用いた傘を提供する。【解決手段】地面や床面に設置されるベース２ａの中央に、傘２０の石突き２１を挿嵌して、傘２０を自立した状態に保持する傘挿着部１を設けたことを特徴とする。【選択図】図１
2006325963.tif 000002
【特許請求の範囲】
【請求項１】
地面や床面に設置されるベースの中央に、傘の石突きを挿嵌して、傘を自立した状態に保持する傘挿着部を設けたことを特徴とする傘の石突き装着具。
【請求項２】
請求項１において、
上記傘挿着部は、所定の傾斜角度範囲で、挿嵌された傘を傾斜状態に保持できる傾斜保持機構を備えていることを特徴とする傘の石突き装着具。
【請求項３】
請求項１または２において、
上記ベースは、外周壁で取り囲まれた開口を有した滴受け空所を形成しており、その空所内に上記傘挿着部に挿嵌させた傘の傘布より落下する雨滴を捕集し、貯留する構造にしていることを特徴とする傘の石突き装着具。
【請求項４】
請求３において、
上記傘挿着部は、傘の石突きを挟持保持する挟持手段をさらに備え、
上記挟持手段は、それぞれに挟持突起を形成したバネ板を、底面を共通にして花弁状に起立させて筒状に構成した挟持具と、その挟持具の底面にスプリングを介して弾性支持された作動板とを組み合わせて構成されていることを特徴とする傘の石突き装着具。
【請求項５】
請求項１〜４のいずれかにおいて、
上記ベースには、それらの形状あるいは立設角度を自在に変えることができる複数の脚部をさらに備えていることを特徴とする傘の石突き装着具。
【請求項６】
請求項１〜５のいずれかに記載の傘の石突き装着具を、石突きに装着してなる傘。
【発明の詳細な説明】
【技術分野】
【０００１】
本発明は、傘の石突きに装着して、傘を自立させるようにした傘の石突き装着具および、その装着具を取り付けた自立可能な傘に関するものである。
【背景技術】
【０００２】
雨の日に電車やバスに乗車した場合、濡れた傘の処置がきわめて不便である。また、傘立てのない屋内では、濡れた傘の置き場に困ることもある。
【０００３】
この問題を解決するために、次の特許文献では、傘の石突き部に脚部を設けて自立させるようにした傘が提案されている。このものは、傘の石突き部分に脚部の開閉機構を設けて、必要に応じて操作により脚部を開閉するものである。
【特許文献１】特開平１０−２２５３１２号公報
【発明の開示】
【発明が解決しようとする課題】
【０００４】
しかしながら、雨が上がったときや屋内で傘を持ち歩くときには、石突きが地面に接触し、衝撃を受けると石突き自体が傷つきやすく、そこに設けた脚部や開閉機構も壊れやすい。
【０００５】
本発明は、このような事情を考慮して提案されたもので、その目的は、石突きに装着しておけば、傘の自立が可能な傘の石突き装着具、およびそれを用いた傘を提供することにある。
【０００６】
また第２の目的は、傘に付いた雨滴の流れ落ちを補集して床面を濡らせることのない傘の石突き装着具、およびそれを用いた傘を提供することにある。
【課題を解決するための手段】
【０００７】
上記目的を達成するために、請求項１に記載の傘の石突き装着具は、地面や床面に設置されるベースの中央に、傘の石突きを挿嵌して、傘を自立した状態に保持する傘挿着部を設けたことを特徴とする。
【０００８】
請求項２では、傘挿着部は、所定の傾斜角度範囲で、挿嵌された傘を傾斜状態に保持できる傾斜保持機構を備えていることを特徴とする。
【０００９】
請求項３では、ベースは、外周壁で取り囲まれた開口を有した滴受け空所を形成しており、その空所内に上記傘挿着部に挿嵌させた傘の傘布より落下する雨滴を捕集し、貯留する構造にしていることを特徴とする。
【００１０】
請求項４では、傘挿着部は、傘の石突きを挟持保持する挟持手段をさらに備え、挟持手段は、それぞれに挟持突起を形成したバネ板を、底面を共通にして花弁状に起立させて筒状に構成した挟持具と、その挟持具の底面にスプリングを介して弾性支持された作動板とを組み合わせて構成されていることを特徴とする。
【００１１】
請求項５では、ベースに、それらの形状あるいは立設角度を自在に変えることができる複数の脚部をさらに備えていることを特徴とする。
【００１２】
請求項６に記載の傘は、石突き部分に、請求項１〜５のいずれかに記載の傘の滴受け具を装着している。
【発明の効果】
【００１３】
請求項１によれば、傘の石突きを挿嵌して自立した状態に保持する傘挿着部を設けているため、地面、床面などで傘を自立させることができる。それによって、電車内などにおいて、手放しで傘を立たせることができ、両手が塞がる状態を解消することができる。また、自立させることができるため、傘立てのない屋内でも部屋の片隅に自立させて放置しても安定した状態に維持することができる。さらに、石突きを挟着する構造であるため、傘を差し込んだ状態で持ち歩くことができる。
【００１４】
請求項２によれば、傘挿着部が傘を所定の傾斜角度範囲で傾斜状態に保持できる構造であるため、容易に片手で角度調整ができ、また傘をベースに対して斜めにして、まっすぐ起立させることもできる。
【００１５】
請求項３では、滴受け空所をさらに形成しているため、傘布から伝って落ちる雨水を効果的に捕集することができる。また、滴受け空所は上方が開口しているので、捕集しやすいとともに捕集した水を簡単に排水することができ、水を排出してしまえば、取り付けたままで傘を持ち歩いても漏水するおそれが全くない。
【００１６】
請求項４では、それぞれに挟持突起を形成したバネ板を、底面を共通にして花弁状に起立させて筒状に構成した挟持具と、その挟持具の底面にスプリングを介して弾性支持された作動板とを組み合わせて石突きを挿着できるようにしている。そのため、傘が石突き装着具から離れにくく、装着したまま持ち歩くのに便利である。また、石突き装着具を傘に取り付けた状態で、石突きを下に向けて地面を突きながら持ち歩いても、石突き装着具によって保護されるため、傘自体は傷まない。また、石突きを挟持突起により確実に挟持できるとともに、石突きで作動板を押し下げれば簡単に傘を抜き出すこともできる。
【００１７】
請求項５によれば、ベースに複数の脚部を設けているので、傘をより安定して自立させることができる。また、これらの脚部は形状あるいは立設角度を自在に変えることができるので、傾斜があるところでも傘を自立させることができる。
【００１８】
請求項６に記載の傘によれば、上記請求項１〜５と同様の効果を得ることができる。
【発明を実施するための最良の形態】
【００１９】
以下に、本発明の実施の形態について、添付図面とともに説明する。なお、以下の実施例には、傘の石突き装着具として雨滴受け具を示している。
【実施例１】
【００２０】
図１（ａ）は本発明の雨滴受け具の斜視図、（ｂ）は平面図、（ｃ）は正面図である。
【００２１】
雨滴受け具１０はプラスティックなどにより製され、底面を平らにしたベース２ａ上の中央に配置した、傘２０（図３参照）の石突き２１（図３参照）を挿嵌して、装着するための傘挿着部１と、その傘挿着部１を、ベース２ａより垂直方向に連設された外周壁２ｂで取り囲み、上方に開口２ｃを有し、傘布２２（図３参照）から流れ落ちる雨滴を捕集するために空所を備えた滴受け部２とよりなる。
【００２２】
また傘挿着部１は、上部を開口し略円筒状に形成され、外殻となる本体部１ａと、石突き収容部１ｂと、該本体部１ａの内側に形成され、石突き２１を挟持固定するようにした挟持手段７と、挿嵌された傘２１を傾斜可能に保持する傾斜保持機構３とを備えている。
【００２３】
石突き２１の挟持は、石突き２１を石突き収容部１ｂに挿入したときに、石突き収容部１ｂの、径を小さくした下方の内壁によって石突き２１を外方から圧迫して固定してもよいし、図１に示すように、内壁に弾性部材で製された複数の挟持突起１ｃによって固定するようにしてもよい。
【００２４】
また、挟持手段７として挟持具７０（図２参照）などの別部材を利用して、挟持固定するようにしてもよい。このような挟持手段７と傾斜保持機構３の詳細構造については、図２で説明する。
【００２５】
なお、本例に記載の雨滴受け具１０は、傘挿着部１の本体部１ａを先細のペンシルキャップ状、滴受け部２を円筒形状としているが、このような形状には限定されない。
【００２６】
次に、傘挿着部１の詳細構造について図２を参照しながら説明する。図２（ａ）は傘挿着部１の拡大平面図である。また図２（ｂ）、（ｃ）は、（ａ）の平面図のＹ−Ｙ線縦断面を示したもので、挟持手段７による石突き２１の挟持と開放を説明するための図である。
【００２７】
挟持手段７は挟持具７０を含んで構成され、その挟持具７０は、本体部１ａの石突き収容部１ｂに装着され、石突き２１を挿嵌しない状態では、上端開口部では、挟持具７０と本体部１ａとの間には所定の隙間Ｓを有している。
【００２８】
挟持具７０は、図２に示すように、中間部に挟持突起７１ａを形成した４枚のバネ板７１を、底部７４を共通にして、花弁状に起立させており、それぞれのバネ板７１の上端７１ｂは、外側に重合させて挿入口７０ａを形成している。挟持具７０は、底部７４から挿入口７０ａに向かってラッパ状に広がった筒体を形成しており、その中間部の内壁面に形成した挟持突起７１ａで規定された空隙は、傘２０の石突き２１よりも小さくなっており、さらに、筒体の底部７４の上方に形成された筒体内部には、スプリング７３で筒体の上方向に弾性力が付勢された作動板７２が、その筒体の内壁に対してほとんど隙間を生じない状態に収容されている。
【００２９】
また、ベース２ａにはボール軸受けの支持殻３ｂが設けられ、その支持殻３ｂ内には、ボール３ａが任意の方向に摩擦回動可能に収容支持され、ネジ部を形成したボール軸３ｃによって、ボール３ａと、本体部１ａの底部と挟持具７０の底部７４とをネジ着している。これらボール３ａ、支持殻３ｂ等によって、傘２０を傾斜させて保持する傾斜保持機構３を構成している。
【００３０】
したがって、傘２０の石突き２１を傘挿着部１の開口から、筒体の挿入口７０ａに挿入すると、図２（ｂ）に示したように、石突き２１は、バネ板７１の挟持突起７１ａで四方より挟まれるので、傘２０を自立状態に保持することができる。このときには、バネ板７１が広がるため、挟持具７０と本体部１ａとの間の隙間Ｓは少し狭まるが、接触しない状態に保持される。
【００３１】
さらに、その状態から石突き２１で作動板７２を押し下げると、図２（ｃ）に示したように、作動板７２はスプリング７３の弾性力に抗して押し下げられ、バネ板７１で構成された筒体を押し広げて、挟持具７０の上端と本体部１ａの上端とが接触するまで挿入口７０ａを拡大させるので、挟持突起７１ａは石突き２１を開放し、石突き２１を上方に抜き出すことができる。また、このようにして石突き２１を開放した後は、作動板７２は、スプリング７３の弾性力を受けて上方に復帰し、これによって、バネ板７１は、挿入口を縮小させるので、再び、石突き２１を挿入すると、バネ板７１の挟持突起７１ａで四方より挟み傘２０を自立状態に保持する。
【００３２】
なお、開放時に石突き２１を確実に抜き出せるようにするため、スプリング７３、作動板７２、バネ板７１などを調整することにより、復元を遅くするようにすればよい。たとえば、スプリング７３に戻りの遅いものを使用してもよいし、作動板７２とバネ板７１との接触面積を大きくして、その摩擦によって作動板７２が持ち上がりにくくしてもよい。
【００３３】
このような構造によれば、挟持具７０に手を触れることなく、傘２０の石突き２１を傘挿着部１に差し込む操作をすることで、挟持具７０に対する装脱ができるので、すこぶる利便である。
【００３４】
図２の例では、外殻となる本体部１ａと挟持具７０の二重構造であるが、外殻を設けずに、傘挿着部１を、挟持手段７と傾斜保持手段３とにより構成するようにしてもよい。また、挟持手段７としては図示するものに限らず、例えばスポンジを本体部１ａの内部に充填し、スポンジ上面中央に切込を入れて、そこに石突き２１を突き刺すようにしたものでもよい。
【００３５】
図３は、本発明の雨滴受け具の利用態様を示す図で、（ａ）は平坦地で使用する場合、（ｂ）は傾斜地で使用する場合を示している。
【００３６】
雨滴受け具１０は、閉じた傘２０の石突き２１を傘挿着部１に差し込んだ状態で利用する。雨に濡れた傘２０を閉じた状態で、図３（ａ）に図示するように雨滴受け具１０に指し込んで、石突き２１を下にした状態で立て、あるいは持ち歩くと、傘布２２に付着した雨水は傘布２２を伝って、雨滴受け具１０の開口２ｃより滴受け空所２の空間に流れ込む。
【００３７】
滴受け部２の上部が開口されているため、雨滴受け具１０を傘２０より取り外せば、その開口部２ｃより溜まった水を簡単に排出することができる。また、雨滴受け具１０は、上述したように傘２０から簡単に取り外すことができるので、屋内に入るつど、溜まった水を捨てればよく、溜まったままの状態で持ち歩く必要がない。もちろん、石突き２１を挟み込んでいるため、普通に持ち歩く分には容易に外れず、また付けたまま傘をさしても全く支障がない。また、雨滴受け具１０を傘２０に取り付けた状態で、石突き２１を下に向けて地面に突いて持ち歩いても、雨滴受け具１０によって石突き２１が保護されるため、石突き２１は傷まない。
【００３８】
さらに、この雨滴受け具１０はベース２ａを有しているため、ベース２ａの底面を平らにするなどすれば、傘２０を挿着した状態で自立させることができる。例えば電車内で、傘２０を足元に置き、手放しで立たせておくことができる。特に、傾斜保持手段３を設けて、傘挿着部１を回動自在に角度を変えて固定できるようにしているため、傾斜のある場所でも、図３（ｂ）に示すように、傘がまっすぐになるように傘挿着部１の角度を変えれば傘を自立させることができる。また、図２で詳述したように、ボール軸受けによる傾斜保持機構３を設ければ、このような操作を片手で簡単にすることができる。
【００３９】
なお、本実施例では、雨滴受け具１０のベース２ａ底面を平らにして地面に接地するようにしているが、ベース２ａの下方に複数の脚部を設けて安定接地できるようにしてもよい。
【００４０】
以上のように傘２０を自立させることができるため、傘立てのない屋内でも部屋の片隅に自立させて放置しておけば、倒れることがないので濡れた傘布２２で床面を濡らすことがなく、かつ雨水を自然に溜めることができる。
【００４１】
本実施例では、傘の石突き装着具として雨滴受け具１０を示したが、単なる傘を自立させることが可能な石突き装着具であってもよい。つまり、外周壁２ｂを構成に含まない、つまり滴受け空所２を形成せずに、ベース２ａと、傾斜保持機構３と、傘挿着部１とよりなるものであってもよい。
【実施例２】
【００４２】
図４は、本実施例の雨滴受け具の全体を示した斜視図である。なお、実施例１と同一の構成については同一の符号を付して、説明を省略する。
【００４３】
本例に記載の雨滴受け具１０Ａには、外周壁２ａの上端より内向に連設された鍔部４をさらに備えている。また、外周壁２ａと内向鍔部４との境界部に水抜き孔５を設けている。この内向鍔部１０Ａにより、雨水を溜めたまま雨滴受け具１０Ａを持ち歩いても、揺れにより雨水が外に飛び出すことがなく利便性が高い。また、水抜き孔５を設けているため、鍔部４によって水が排出しにくくなることもない。
【実施例３】
【００４４】
図５（ａ）は、本実施例の雨滴受け具の全体を示した斜視図、（ｂ）は利用態様を示した説明図である。なお、実施例１と同一の構成については同一の符号を付して、説明を省略する。また、傘挿着部１は不図示とする。
【００４５】
本例に記載の雨滴受け具１０Ｂは、自由に折り曲げて形状を変形できるようにした複数の脚部６をさらに備えている。図例では３本の脚部６、６、６を備えているが、４本以上であってもよい。脚部６は、中央部での折り曲げと、その状態で固定することを可能としたものである。
【００４６】
したがって、複数の脚部６、６、６のそれぞれを所望の高さになるよう折り曲げ調節すれば、傾斜地でも傘２０を自立させることができる。また、脚部６が不要なときは折り畳んでおけばよい。
【００４７】
また、図６に示した雨滴受け具１０Ｃのように、脚部６、６、６を外周壁２ｂに形成した脚収容部８に収容可能とし、必要なときにこれを取り出すようにしてもよい。なお、脚部６の収容時および開脚時は、複数段階に立設角度を変更できるようにした係合手段（不図示）により固定させる。なお、図６（ａ）は収容時、（ｂ）は開脚時の状態を示す図である。
【図面の簡単な説明】
【００４８】
【図１】（ａ）は本発明の雨滴受け具の斜視図、（ｂ）は平面図、（ｃ）は正面図である。
【図２】（ａ）は傘挿着部の拡大平面図、（ｂ）、（ｃ）は、（ａ）の平面図のＹ−Ｙ線縦断面を示したもので、挟持手段による石突きの挟持と開放を説明するための図である。
【図３】本発明の雨滴受け具の利用態様図である。
【図４】本発明の実施例２の雨滴受け具を示す斜視図である。
【図５】本発明の実施例３の雨滴受け具の説明図で、（ａ）は斜視図、（ｂ）は利用態様図である。
【図６】本発明の実施例３の別例の雨滴受け具の説明図で、（ａ）は脚部収容時、（ｂ）は開脚時の斜視図である。
【符号の説明】
【００４９】
１０、１０Ａ、１０Ｂ      雨滴受け具（石突き装着具）
２０      傘
２１      石突き
２２      傘布
１      傘挿着部
１ａ      本体部
１ｂ      石突き収容部
１ｃ      挟持突起
２      滴受け部（滴受け空所）
２ａ      ベース
２ｂ      外周壁
２ｃ      開口
３      傾斜保持機構
４      内向鍔部
５      水抜き孔
６      脚部
７      挟持手段
７０      挟持具
７１      バネ板
７１ａ      挟持突起
７２      作動板
７３      スプリング
【図１】
2006325963.tif 000003
【図２】
2006325963.tif 000004
【図３】
2006325963.tif 000005
【図４】
2006325963.tif 000006
【図５】
2006325963.tif 000007
【図６】
2006325963.tif 000008
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
地面や床面に設置されるベースの中央に、傘の石突きを挿嵌して、傘を自立した状態に保持する傘挿着部を設けた傘の石突き装着具であって、
上記ベースは、外周壁で取り囲まれた開口を有した滴受け空所を形成しており、その空所内に上記傘挿着部に挿嵌させた傘の傘布より落下する雨滴を捕集し、貯留する構造にしており、
上記傘挿着部は、傘の石突きを挟持保持する挟持手段を備え、
この挟持手段は、それぞれに挟持突起を形成したバネ板を、底面を共通にして花弁状に起立させて筒状に構成した挟持具と、その挟持具の底面にスプリングを介して弾性支持された作動板とを組み合わせて構成され、
上記作動板の押し下げによって上記挟持具の押し広げをさせる一方、上記スプリングの弾性力による上記作動板の上方復帰によって上記挟持具の復元動作をさせることを特徴とする傘の石突き装着具。
【請求項２】
請求項１において、
上記傘挿着部は、所定の傾斜角度範囲で挿嵌された傘を傾斜状態に保持できる傾斜保持機構をさらに備えていることを特徴とする傘の石突き装着具。
【請求項３】
請求項１または２のいずれかにおいて、
上記ベースには、それらの形状あるいは立設角度を自在に変えることができる複数の脚部をさらに備えていることを特徴とする傘の石突き装着具。
【請求項４】
請求項１〜３のいずれかに記載の傘の石突き装着具を、石突きに装着してなる傘。
【手続補正２】
【補正対象書類名】明細書
【補正対象項目名】０００７
【補正方法】変更
【補正の内容】
【０００７】
上記目的を達成するために、請求項１に記載の傘の石突き装着具は、地面や床面に設置されるベースの中央に、傘の石突きを挿嵌して、傘を自立した状態に保持する傘挿着部を設けた傘の石突き装着具であって、次の特徴を有している。すなわち、ベースは外周壁で取り囲まれた開口を有した滴受け空所を形成しており、その空所内に傘挿着部に挿嵌させた傘の傘布より落下する雨滴を捕集し、貯留する構造にしている。また、傘挿着部は傘の石突きを挟持保持する挟持手段を備え、この挟持手段は、それぞれに挟持突起を形成したバネ板を、底面を共通にして花弁状に起立させて筒状に構成した挟持具と、その挟持具の底面にスプリングを介して弾性支持された作動板とを組み合わせて構成され、作動板の押し下げによって挟持具の押し広げをさせる一方、スプリングの弾性力による作動板の上方復帰によって挟持具の復元動作をさせることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項３では、ベースに、それらの形状あるいは立設角度を自在に変えることができる複数の脚部をさらに備えていることを特徴とする。
【手続補正６】
【補正対象書類名】明細書
【補正対象項目名】００１２
【補正方法】変更
【補正の内容】
【００１２】
請求項４に記載の傘は、石突き部分に、請求項１〜３のいずれかに記載の傘の滴受け具を装着している。
【手続補正７】
【補正対象書類名】明細書
【補正対象項目名】００１３
【補正方法】変更
【補正の内容】
【００１３】
請求項１に記載の傘の石突き装着具によれば、傘の石突きを挿嵌して自立した状態に保持する傘挿着部を設けているため、地面、床面などで傘を自立させることができる。それによって、電車内などにおいて、手放しで傘を立たせることができ、両手が塞がる状態を解消することができる。また、自立させることができるため、傘立てのない屋内でも部屋の片隅に自立させて放置しても安定した状態に維持することができる。さらに、石突きを挟着する構造であるため、傘を差し込んだ状態で持ち歩くことができる。
【手続補正８】
【補正対象書類名】明細書
【補正対象項目名】００１４
【補正方法】変更
【補正の内容】
【００１４】
また、滴受け空所をさらに形成しているため、傘布から伝って落ちる雨水を効果的に捕集することができる。また、滴受け空所は上方が開口しているので、捕集しやすいとともに捕集した水を簡単に排水することができ、水を排出してしまえば、取り付けたままで傘を持ち歩いても漏水するおそれが全くない。
【手続補正９】
【補正対象書類名】明細書
【補正対象項目名】００１５
【補正方法】変更
【補正の内容】
【００１５】
さらに、それぞれに挟持突起を形成したバネ板を、底面を共通にして花弁状に起立させて筒状に構成した挟持具と、その挟持具の底面にスプリングを介して弾性支持された作動板とを組み合わせて石突きを挿着できるようにしている。そのため、傘が石突き装着具から離れにくく、装着したまま持ち歩くのに便利である。また、石突き装着具を傘に取り付けた状態で、石突きを下に向けて地面を突きながら持ち歩いても、石突き装着具によって保護されるため、傘自体は傷まない。また、石突きを挟持突起により確実に挟持できるとともに、石突きで作動板を押し下げれば簡単に傘を抜き出すこともできる。
【手続補正１０】
【補正対象書類名】明細書
【補正対象項目名】００１６
【補正方法】変更
【補正の内容】
【００１６】
請求項２に記載の傘の石突き装着具によれば、傘挿着部が傘を所定の傾斜角度範囲で傾斜状態に保持できる構造であるため、容易に片手で角度調整ができ、また傘をベースに対して斜めにして、まっすぐ起立させることもできる。
【手続補正１１】
【補正対象書類名】明細書
【補正対象項目名】００１７
【補正方法】変更
【補正の内容】
【００１７】
請求項３に記載の傘の石突き装着具によれば、ベースに複数の脚部を設けているので、傘をより安定して自立させることができる。また、これらの脚部は形状あるいは立設角度を自在に変えることができるので、傾斜があるところでも傘を自立させることができる。
【手続補正１２】
【補正対象書類名】明細書
【補正対象項目名】００１８
【補正方法】変更
【補正の内容】
【００１８】
請求項４に記載の傘によれば、上記請求項１〜３と同様の効果を得ることができる。